(57)【要約】【課題】受付での記帳を省略可能とすると共に、来者の情報管理を容易に行うことができる熨斗袋セットを提供する。【解決手段】慶弔時に使用する内部に紙幣を収容可能な熨斗袋と、氏名や住所等の文字情報を記入可能な記帳代替カードと、それぞれ異なる表書き表記を備えた複数枚の表書き紙片と、を袋体中に収容してなる熨斗袋セットであって、前記熨斗袋外面に、前記記帳代替カードにより記帳を省略可能である旨の文字列を表記してなる記帳省略表記部を設けた。【選択図】図２
0003128885.tif 000002
【実用新案登録請求の範囲】
【請求項１】
慶弔時に使用する内部に紙幣を収容可能な熨斗袋と、氏名や住所等の文字情報を記入可能な記帳代替カードと、それぞれ異なる表書き表記を備えた複数枚の表書き紙片と、を袋体中に収容してなる熨斗袋セットであって、前記熨斗袋外面に、前記記帳代替カードにより記帳を省略可能である旨の文字列を表記してなる記帳省略表記部を設けた熨斗袋セット。
【請求項２】
前記記帳代替カードは、大きくとも前記熨斗袋と同等サイズの紙体であって、少なくとも氏名記入欄と、住所記入欄とを備え、その一側端部に二つの綴じ穴を備えたことを特徴とする請求項１記載の熨斗袋セット。
【請求項３】
請求項１又は請求項２に記載の熨斗袋セットにおいて、前記袋体中には、さらに記憶媒体が収納されており、同記憶媒体は、文字情報を記入可能に電子化した記帳代替カードを記憶していることを特徴とする熨斗袋セット。
【請求項４】
前記記憶媒体は、文字情報を記入可能に電子化した表書き紙片を記憶していることを特徴とする請求項３記載の熨斗袋セット。
【考案の詳細な説明】
【技術分野】
【０００１】
本考案は、慶事や弔辞の際の記帳を省略可能とした熨斗袋セットに関する。
【背景技術】
【０００２】
従来、慶事や弔事の際、来者は、受付にて予め紙幣を収容した熨斗袋を進上すると共に記帳簿に名前や住所を記帳する。しかし、一人一人が手書きで記帳するため、時間がかかって受付が混雑してしまう問題や、混雑を避けようとして急いで記帳するあまり判読できないような文字を記入しやすいという問題が生じていた。
【０００３】
そこで、熨斗袋の外面に住所、氏名、郵便番号、電話番号などの情報を記入可能な記入欄を設け、この記入欄に予め情報を記載することで記帳の手間を省いた熨斗袋が提案されている（例えば、特許文献１を参照。）。
【特許文献１】特開２００２−０３７２６８
【考案の開示】
【考案が解決しようとする課題】
【０００４】
しかしながら、熨斗袋に文字情報を記入した場合、情報を保管するためには熨斗袋ごと保管する必要があるため場所をとってしまい、後に主催者側がその情報を一覧する場合の一覧作業が煩雑であるという問題も生じていた。さらには熨斗袋の体裁が悪いという問題も生じてしまう。
【０００５】
本考案は、上記課題に鑑みてなされたものであって、受付での記帳を省略可能とすると共に、来者の情報管理を容易に行うことができる熨斗袋セットを提供することを目的とする。
【課題を解決するための手段】
【０００６】
請求項１記載の本考案は、慶弔時に使用する内部に紙幣を収容可能な熨斗袋と、氏名や住所等の文字情報を記入可能な記帳代替カードと、それぞれ異なる表書き表記を備えた複数枚の表書き紙片と、を袋体中に収容してなる熨斗袋セットであって、前記熨斗袋外面に、前記記帳代替カードにより記帳を省略可能である旨の文字列を表記してなる記帳省略表記部を設けた熨斗袋セットとした。
【０００７】
請求項２記載の本考案は、請求項１記載の熨斗袋セットにおいて、前記記帳代替カードは、大きくとも前記熨斗袋と同等サイズの紙体であって、少なくとも氏名記入欄と、住所記入欄とを備え、その一側端部に二つの綴じ穴を備えたことを特徴とした。
【０００８】
請求項３記載の本考案は、請求項１又は請求項２記載の熨斗袋セットにおいて、前記袋体中には、さらに記憶媒体が収納されており、同記憶媒体は、文字情報を記入可能に電子化した記帳代替カードを記憶していることを特徴とした。
【０００９】
請求項４記載の本考案は、請求項３記載の熨斗袋セットにおいて、前記記憶媒体は、文字情報を記入可能に電子化した表書き紙片を記憶していることを特徴とした。
【考案の効果】
【００１０】
本考案によれば、慶弔時に使用する内部に紙幣を収容可能な熨斗袋と、氏名や住所等の文字情報を記入可能な記帳代替カードと、それぞれ異なる表書き表記を備えた複数枚の表書き紙片と、を袋体中に収容してなる熨斗袋セットであって、前記熨斗袋外面に、前記記帳代替カードにより記帳を省略可能である旨の文字列を表記してなる記帳省略表記部を設けた熨斗袋セットとしたため、慶弔時の受付の混雑の原因となっていた記帳を省略して、受付作業をスムーズに進行させることができる。
【考案を実施するための最良の形態】
【００１１】
本考案によれば、慶弔時に使用する内部に紙幣を収容可能な熨斗袋と、氏名や住所等の文字情報を記入可能な記帳代替カードと、それぞれ異なる表書き表記を備えた複数枚の表書き紙片と、を袋体中に収容してなる熨斗袋セットであって、前記熨斗袋外面に、前記記帳代替カードにより記帳を省略可能である旨の文字列を表記してなる記帳省略表記部を設けている。
【００１２】
従って、従来、慶弔事における受付の混雑の原因となっていた記帳を省略することができ、受付の混雑を防止することができる。しかも、記帳省略表記部を設けたことにより、受付において記帳省略可能であることを容易に視認することができるため、受付作業をよりスムーズに進行させることができる。
【００１３】
また、前記記帳代替カードは、大きくとも前記熨斗袋と同等サイズの紙体であって、少なくとも氏名記入欄と、住所記入欄とを備え、その一側端部に二つの綴じ穴を備えたことを特徴としている。
【００１４】
従って、来者の必要情報を一綴りにすることができて情報管理が容易であるし、情報の一覧作業も容易に行うことができる。
【００１５】
また、前記袋体中には、さらに記憶媒体が収納されており、同記憶媒体は、文字情報を記入可能に電子化した記帳代替カードを記憶していることを特徴としている。
【００１６】
この記憶媒体をコンピュータに読み込むことにより、コンピュータ上で記帳代替カードに必要な文字情報を記入することができ、筆記が不得意な人でも容易に美しい字体の文字情報を記入することができるし、予め、記帳代替カードに必要な情報を記入しておくことで、慶弔時の受付における煩雑な記帳作業を省略することができ、受付が混雑してしまうことを防止することができる。
【００１７】
また、前記記憶媒体は、文字情報を記入可能に電子化した表書き紙片を記憶していることを特徴としている。
【００１８】
従って、コンピュータ上で表書き紙片に必要な文字情報を記入することができ、筆記が不得意な人でも容易に美しい字体の文字情報を記入することができ、筆記が不得意な人でも容易に美しい字体の文字情報を記入することができる。
【００１９】
以下、本実施形態に係る熨斗袋セット１０を、図面を参照しながら説明する。
【００２０】
図１は、本実施形態に係る熨斗袋セットの概観を示した説明図、図２は、本実施形態に係る熨斗袋セットの内容物を示した説明図、図３は、本実施形態に係る記帳代替カードの各欄を示した説明図である。
本実施形態に係る熨斗袋セット１０は、弔事の際に利用する香典袋のセットであって、図１、図２に示すように、内部に紙幣を収容する熨斗袋として、内部に直接紙幣を収容する内袋体１と、この内袋体１を収容可能な外袋体２とを備える。また、本来記帳簿に記帳する情報である氏名や住所等の情報を記載可能な記入欄を有する記帳代替カード４を備えている。
【００２１】
さらに、熨斗袋セット１０は、外袋体２に装着される、異なる種類の表書きがそれぞれ記載された複数枚の表書き紙片５を備えている。本実施形態においては、３種類の表書き紙片５を備えることとしている。
【００２２】
そして、これらの内袋体１、外袋体２、記帳代替カード４、及び３枚の表書き紙片５を、袋体６に収容して、図１に示すように熨斗袋セット１０を形成し、店頭などで一体に販売できるようにしている。
【００２３】
ここで、各部を詳細に説明すると、内袋体１は、図２に示すように、一端開口の袋形状をなす一般的な封筒形状に形成しており、その内部に直接紙幣を収容可能である。この内袋体１の外面には、住所や氏名、電話番号を記入する情報記入欄７を設けて、来者と、来者が進上した香典料とが確実に一致するようにしている。
【００２４】
この内袋体１を収容する外袋体２は、内袋体１を収容可能であるように多少大きめに形成した袋体として、内袋体１を内包可能とした紙体として形成している。そして、その外面には、後述する記帳代替カード４によって記帳が省略可能であることを視認可能に表記した、記帳省略表記部８を設けている。本実施形態においては、「受付スルー」の文字列を表記している。
【００２５】
なお、記帳が省略可能である旨が一目で判別できるような記載であればこれに限られることはなく、例えば、「記帳不要タイプ」、「記帳スルー」など、種々の文字列を採用可能である。なお、この記帳省略表記部８は、一目で識別できるように何らかの彩色を施すことが好ましく、弔事に相応しい彩色、例えばグレーや紫色などの彩色を施すことが望ましい。
【００２６】
また、この記帳省略表記部８は、文字列を外袋外面に直接印字して形成することもできるし、粘着面を有するシール体に印字して任意の位置に貼着可能な構成とすることもできる。
【００２７】
そして、この外袋体２は、帯状体たる水引体９を備えている。この水引体９は、予め所定の結び形状に形成しておき、外袋体２に接着した構成とすることもできるし、取り外し自在な構成とすることもできる。
【００２８】
また、表書き紙片５は、外袋体２外面と水引体９との間に装着される薄紙片であって、本実施形態においては、「御霊前」、「御香料」、「御佛前」の３種類の表書きを表記している。この表書き紙片５は、出席する弔事に合わせて任意に選択して使用することとする。なお、図２に示した表書き「御霊前」、「御香料」、「御佛前」の表記は例示であって、これに限られるものではない。
【００２９】
記帳代替カード４は、図２に示すように、御香典を進上する本人の情報を記入する、氏名記入欄１２と、住所記入欄１３と、電話番号記入欄１４と、所属記入欄１５と、個人との関係記入欄１６と、備考欄１７とを備えている。なお、備考欄１７は、収容金額記載欄として利用することもできる。
【００３０】
このような情報を記入することで、主催者側は、来者の氏名や住所、電話番号、所属、さらに故人とどのような関係であったか、を正確に把握することができ、後に御礼をする時に、来者の情報を容易に整理することができる。
【００３１】
また、記帳簿のようにその場で記入するものではなく、予め記入しておくことが可能であるので、記入者は急かされる事もなく丁寧に記入し易いし、主催者は判読し難い文字が記入されることを防止することができる。
【００３２】
図５は、記入された記帳代替カード４を綴じ部にて示した説明図である。図５に示すように、記帳代替カード４の一側端部に設けた綴り穴１１において、紐体２０などを通して綴じれば、数枚から数十枚の記帳代替カード４をまとめて管理することができ、来者の情報を一覧し易い状態で保管できる。
【００３３】
これら、外袋体２、内袋体１、表書き紙片５、記帳代替カード４を、袋体６中に見栄え良く配置・収容することで、熨斗袋セット１０として、店頭にて販売可能な状態とする。配置としては、図１に示すように、袋体６の一面側に、外袋体２の記帳省略表記部８を備えた一面側を位置させると共に、他面側には記帳代替カード４の記入欄が位置するように収容すると、袋体６に収容した状態においても本熨斗袋セット１０の概要を知ることができて望ましい。袋体６は、ポリエチレンフィルムやポリプロピレンフィルムなどにより形成することができる。
【００３４】
また、図６は、他の実施形態に係る熨斗袋セットを示している。図６に示すように、熨斗袋の外袋体２２に備える記帳省略表記部２８と、記帳代替カード２４とを一体とした構成とすることもできる。すなわち、記帳代替カード２４を小さく折り曲げた状態で外袋体２２に貼着可能とした構成である。
【００３５】
すなわち、使用者は、記帳代替カード２４に必要情報を記入した後、紙面を御神籤大の大きさに折り曲げ、外袋体２２表面に取り外し自在に貼着する。そして、主催者側は、来者の情報を管理する際に、記帳省略表記部２８を取り外し、複数枚の記帳代替カード２４をまとめて綴り穴にて綴じることができる。この場合、記帳代替カード２４は、御神籤紙のような薄い紙体であることが望ましい。
【００３６】
このような構成とすると、受付の記帳を省略可能とし、さらに受付には熨斗袋２３のみを手渡せばよく、また熨斗袋２３の体裁を損なうことがないし、来者の情報の管理も容易に行うことができる熨斗袋セットとすることができる。
【００３７】
ここで、さらに、上記の熨斗袋セットの袋体中に、文字情報を記入可能に電子化した記帳代替カード４及び表書き紙片５を記憶したＣＤ−ＲＯＭなどの記憶媒体を収納し、これらをセットとして販売することもできる。
【００３８】
すなわち、所定のアプリケーションを搭載したコンピュータによって、ＣＤ−ＲＯＭなどの記憶媒体に文字情報を記入可能に記憶された記帳代替カード４及び表書き紙片５の電子データを読み出して、必要な文字情報を記入することができる。
【００３９】
図４は、一般的なパーソナルコンピュータの概略構成図である。このパーソナルコンピュータのＣＤドライブ１０４にＣＤ−ＲＯＭなどの記憶媒体を挿入することができる。ＣＤ−ＲＯＭには所定のアプリケーションソフトが記憶されており、ＣＰＵ１０１がそのソフトを呼び出し立ち上げて、記憶した記帳代替カード４及び表書き紙片５の電子データを表示部１０５に表示する。
【００４０】
図４に示すように、電子化された記帳代替カード４及び表書き紙片５が格納されたＣＤ−ＲＯＭなどの記憶媒体は、コンピュータのＣＤドライブ１０４によって読み込まれる。パーソナルコンピュータはＣＰＵ１０１とＲＯＭ１０２とＲＡＭ１０３を備えており、これらはバス１００によって接続されている。ＣＰＵ１０１の指示によりＲＯＭ１０２がファイルデータを読み出して、表示部１０５に表示される。
【００４１】
図３は、この表示部１０５に表示された記帳代替カード４を示しており、すなわち、図３に示すように、コンピュータ上において表示された記帳代替カード４において、各欄１２〜１７内に文字情報を記入可能である枠体３２〜３４が表示される。ここでは、欄１２、１５のみに枠体を表示することとしているが、全ての欄内に枠体を表示することもできる。そして、枠体３４内に表示されたカーソル３１の位置に、所望の文字情報を記入することができる。なお、符号３５は、綴じ穴１１の位置を示す綴じ穴表示部である。
【００４２】
そして、この記帳代替カード４に必要な文字情報を記入した後、図示しない出力ポートなどに接続したプリンタなどによって、この記帳代替カード４の情報を印刷するのである。
【００４３】
表書き紙片５も同様に、コンピュータ上にて必要な文字情報を記入可能な構成としており、この際、一般的に表書き表記の下方に記入する本人の氏名も、文字情報として記入することができる。すなわち、必要な情報を一切手書きする必要がないため、筆記が不得意な人であってもストレスなく熨斗袋を受付へ渡すことができるのである。
【００４４】
以上、弔事用の熨斗袋セットについて説明したが、慶事に用いる熨斗袋セットとしても利用することができる。この場合、表書き紙片を、「御祝い」、「寿」などの慶事用の表記とすると共に、記帳省略表記部及び水引体の彩色や構成を華やかなものにすることで対応可能である。
【００４５】
このように、本考案に係る熨斗袋セットは、慶弔時の受付の混雑の原因となっていた記帳を省略可能とすると共に、主催者が、来者の情報管理を容易に行うことができる熨斗袋セットとしている。
【図面の簡単な説明】
【００４６】
【図１】本実施形態に係る熨斗袋セットの概観を示した説明図である。
【図２】本実施形態に係る熨斗袋セットの内容物を示した説明図である。
【図３】本実施形態に係る記帳代替カードの各欄を示した説明図である。
【図４】一般的なパーソナルコンピュータの概略構成図である。
【図５】本実施形態に係る記帳代替カードを示した説明図である。
【図６】他の実施形態に係る熨斗袋セットを示した説明図である。
【符号の説明】
【００４７】
１  内袋体
２  外袋体
３  熨斗袋
４  記帳代替カード
５  表書き紙片
６  袋体
７  情報記入欄
８  記帳省略表記部
９  水引体
１０  熨斗袋セット
１１  綴り穴
２０  紐体
【図１】
0003128885.tif 000003
【図２】
0003128885.tif 000004
【図３】
0003128885.tif 000005
【図４】
0003128885.tif 000006
【図５】
0003128885.tif 000007
【図６】
0003128885.tif 000008